(57)【要約】【課題】建物内と外部で異なる送信規則において、使用者はわざわざ無線端末装置の送信動作を変更する必要があった。そのため、使い勝手が悪いという問題があった。【解決手段】上記課題を解決するために、無線通信機能を有する無線端末装置において、電源供給の種類を検出する検出部と、該検出部により検出された該電源供給の種類に対応した動作条件を記憶した記憶部と、該検出部により検出された検出結果から該記憶部に記憶された該動作条件に対応して無線通信の動作を切替える制御部とを備えるように構成すればよい。【選択図】  図１
2005033238.tif 000002
【特許請求の範囲】
【請求項１】
無線通信機能を有する無線端末装置において、
電源供給の種類を検出する検出部と、
該検出部により検出された該電源供給の種類に対応した動作条件を記憶した記憶部と、
該検出部により検出された検出結果から該記憶部に記憶された該動作条件に対応して無線通信の動作を切替える制御部とを備えたことを特徴とする無線端末装置。
【請求項２】
無線通信機能を有する無線端末装置において、
電源供給のための電源ラインの接続状態を検出する接続検出部と、
屋内と屋外とで動作するための動作条件を記憶した記憶部と、
該接続検出部により検出された検出結果から該記憶手段に記憶された動作条件に対応して無線通信の動作を切替えるように制御する制御部とを備えたことを特徴とする無線端末装置。
【請求項３】
請求項１又は２記載の無線端末装置において、
前記電源供給が電源ラインを介した外部電源あるいは電源ラインを介さない電源から電源の供給を受けていることを特徴とする無線端末装置
【請求項４】
請求項１乃至３いずれか記載の無線端末装置において、
無線通信動作の切替えを報知する報知部をさらに備えたことを特徴とする無線端末装置。
【請求項５】
請求項１乃至４いずれかに記載の無線端末装置において、
前記制御部は、前記記憶部により記憶された動作条件に対応して通信周波数を切替えるように制御することを特徴とする無線端末装置。
【請求項６】
請求項１乃至４いずれかに記載の無線端末装置において、
前記制御部は、前記記憶部により記憶された動作条件に対応して送信を停止あるいは送信電力を切替えるように制御することを特徴とする無線端末装置。
【請求項７】
請求項１乃至４いずれかに記載の無線端末装置において、
前記制御部は、前記記憶部により記憶された動作条件に対応して送信帯域幅を切替えるように制御することを特徴とする無線端末装置。
【請求項８】
請求項１乃至４いずれかに記載の無線端末装置において、
前記制御部は、前記記憶部により記憶された動作条件に対応して特定帯域の送信電力を切替えるように制御することを特徴とする無線端末装置。
【請求項９】
請求項１乃至４いずれかに記載の無線端末装置において、
前記制御部は、前記記憶部により記憶された動作条件に対応して送信スペクトラムを切替えるように制御することを特徴とする無線端末装置。
【請求項１０】
請求項１乃至９いずれかに記載の無線端末装置において、
使用可能な無線通信帯域もしくは周波数を検出する手段をさらに備え、前記制御部は該手段により検出された該無線通信帯域もしくは周波数に応じて無線通信動作を切替えることを特徴とする無線端末装置。
【請求項１１】
請求項１乃至９いずれかに記載の無線端末装置において、
さらに無線通信の動作の切替えを選択する無線通信動作選択部を有することを特徴とする無線端末装置。
【請求項１２】
無線通信機能を有する無線端末において、
電源供給の種類を検出する検出手段と、前記検出手段により検出された電源供給の種類に対応した動作に関する情報を記憶した記憶手段と、前記記憶手段に記憶された動作に関する情報に対応して無線通信の動作を切替える制御手段とを備えていることを特徴とする無線端末装置。
【請求項１３】
無線通信機能を有する端末装置において、
外部から電源を供給する第１の電源供給部と、
外部からの電源供給に頼らず電源供給を行う第２の電源供給部と、
電源供給が該第１の電源供給部と該第２の電源供給部のいずれかであるかを検出する電源供給種類検出部と、
屋内及び屋外で動作するための動作条件をそれぞれ記憶した記憶部と、
該電源供給種類検出部により電源供給が該第１の電源供給部を介して行われるものであると検出された場合は該記憶部により記憶された該屋内で動作するための動作条件で動作し、
該電源供給種類検出部により電源供給が該第２の電源供給部を介して行われるものであると検出された場合は該記憶部により記憶された該屋外で動作するための動作条件で動作するように制御する制御部とを備えていることを特徴とする無線端末装置。
【発明の詳細な説明】
【０００１】
【発明の属する技術分野】
本発明は無線通信機能を有する無線端末装置に関する。
【０００２】
【従来の技術】
特開２００２−２８０９２５号公報には、無線ＬＡＮ内蔵の無線端末において、無線端末への電源供給がＡＣアダプターによるものか内蔵バッテリーによるものかのいずれかを判定して、内蔵バッテリー駆動時には消費電力の小さいモードに変更する技術が開示されている。
【０００３】
【特許文献１】
特開２００２−２８０９２５号公報
【０００４】
【発明が解決しようとする課題】
しかしながら、上記文献に記載された発明は、消費電力の低減に着目してなされたものであり、ユーザが屋内から屋外へ、また、屋外から屋内に移動した場合の無線端末の使い勝手に関して着目はされていなかった。そのため、ユーザは、通常使用できる通信帯域が異なる屋内と屋外とで、無線通信動作をわざわざ切替える操作を行なわなければならなかった。また、前記切替え操作は忘れやすいといった問題もあった。
【０００５】
そこで、本発明は、ワイヤレス機能を内蔵した無線端末の使い勝手を向上させることを目的とする。
【０００６】
【課題を解決するための手段】
上記課題を解決するためには、例えば、請求項１記載の如く、無線通信機能を有する無線端末装置において、電源供給の種類を検出する検出部と、該検出部により検出された該電源供給の種類に対応した動作条件を記憶した記憶部と、該検出部により検出された検出結果から該記憶部に記憶された該動作条件に対応して無線通信の動作を切替える制御部とを備えるように構成すればよい。
【０００７】
【発明の実施の形態】
図１は、第１の実施例における無線端末装置の構成図である。無線端末装置２００は、アンテナ１００と１０１と、アンテナスイッチ２０１と、受信装置２０２と、送信装置２０３と、ＰＨＹ／ＭＡＣ２０４と、通信動作制御部２０５と、電源検出・電源制御２０６と、内蔵電源のバッテリー２０７、とＡＣアダプター２０８と、外部電源接続端子３００と信号ライン３０１から構成される。２つのアンテナ１００とアンテナ１０１は、他の無線端末装置（図示されず）に対して送信あるいは受信する。アンテナスイッチ２０１は、アンテナ１００とアンテナ１０１を受信装置２０２の入力及び送信装置２０３の出力の接続を選択接続してダイバシティ動作させる。ＰＨＹ／ＭＡＣ２０４は、受信装置２０２からの受信信号の復調と送信装置２０３への変調と信号ライン３０１で接続された他のブロック（図示されず）とのアクセス制御を行なう。電源制御・電源検出部２０６は、バッテリー２０７の内部電源かＡＣアダプター２０８の外部電源のどちらで電源供給が行われているかを検出する。通信制御部２０５は、受信部２０２や送信部２０７やＰＨＹ／ＭＡＣ２０４の動作を制御するものである。
【０００８】
図１は、電源供給が外部電源の場合を示す図であり、例えば、端子３００への電流の流れ込みを電源制御・電源検出部３００で検出し、通信制御部２０５によって受信部２０２や送信部２０７やＰＨＹ／ＭＡＣ２０４を屋内に許された周波数や送信出力で動作させる。
【０００９】
図２は、図１に対して、外部電源が外され電源供給がバッテリー２０７で行われている例を図示している。例えば、端子３００への電流の流れ込みがなくバッテリー２０７から流れ込みがあることを電源制御・電源検出部２０６で検出すると、通信制御部２０５によって受信部２０２や送信部２０７やＰＨＹ／ＭＡＣ２０４の動作を屋外において許された周波数や送信出力で動作させる。電源供給が外部電源か内部電源かを検出することにより、屋内及び屋外において許される周波数及び送信出力に自動的に切替えることができる。
【００１０】
図３は、本実施例の制御フローを示す図である。無線端末装置の変更は手動で行うか自動で行うかは予め設定されているものとする。本発明の無線端末装置の電源が入り、制御が開始されると（ステップ４００）、まず初期状態として送信停止のモードに入り（ステップ４０１）、電源が外部電源か内部電源かを判定し（ステップ４０２）、外部電源の場合は無線端末装置の周波数や送信電力やスペクトラムを屋内仕様の設定を行い（ステップ４０３）、外部電源でない場合は無線端末装置の周波数や送信電力やスペクトラムを屋外仕様の設定を行い（ステップ４０４）、設定完了後に無線端末装置は送信や受信動作を開始し（ステップ４０５）、電源の変更を検出するモードに入る（ステップ４０６）。
【００１１】
もし、電源が外部から内部、あるいは、その逆の変更が発生すると、電源供給の変更がディスプレイ（図示せず）に点灯などで表示され（ステップ４０７）、通信動作制御部２０５が無線端末装置の電源供給の変更が手動か自動を判定し（ステップ４０８）、自動の場合は送信停止（ステップ４０１）に戻り電源の判定を行い、無線端末装置の周波数や送信電力やスペクトラムを設定する。
【００１２】
また、手動で切替える場合は、送信を停止した（ステップ４０９）後にキーボード等から電源供給が外部電源か内部電源かを入力し、通信動作制御部２０５が入力結果の判定によって無線端末装置の周波数や送信電力やスペクトラムを設定する（ステップ４１０）。これにより、屋内と屋外において許される周波数や送信出力に自動的に切替わるため、使用者はわざわざ切り換える操作が必要でなく、使い勝手がよい。
【００１３】
また、電源供給の変更を使用者に知らせることにより、使用者は自動と手動切替えを選択して行うことができ、使い勝手が向上する。
【００１４】
図４は、無線通信の動作を切替える制御手段による制御の実施例を示す。図４の例は、屋内で動作するための条件である屋内動作条件から屋外で動作するための条件である屋外動作条件に変わる例を示し、図４（１）は、通信周波数の変更例を示す。そして、図４（２）は、送信の停止あるいは送信電力の変更例、図４（３）は送信帯域幅の変更例、図４（４）は特定帯域の送信電力の変更もしくは送信スペクトラムの変更例を示している。以下、具体的に説明する。
【００１５】
図４（１）の通信周波数の変更例は、屋内と屋外の使用で周波数が異なる場合である。電源供給が内部電源に変更されると、通信制御部２０５は受信部と送信部２０３の周波数を屋内周波数４００から屋外周波数４０１に変更を行なう。
【００１６】
図４（２）の送信電力の変更例については、無線端末装置２００が屋外の無線通信に対応する機能を持たない場合には図４（２ａ）に示すように電源供給が内部電源に変更されると、通信制御部２０５は屋内信号４００での送信を停止する。また、図４（２ｂ）のように屋内と屋外の使用で送信電力が異なる例では、電源供給が内部電源に変更されると、通信制御部２０５は送信部２０３の送信電力を屋内送信電力４０３から屋外送信電力４０４に変更を行なう。
【００１７】
図４（３）の送信帯域幅の変更例は、屋内と屋外の使用で信号帯域幅が異なる例である。電源供給が内部電源に変更されると、通信制御部２０５は受信部と送信部２０３の信号帯域幅を屋内帯域幅４０５から屋外帯域幅４０６に変更を行なう。
【００１８】
図４（４）の特定帯域の送信電力の変更もしくは送信スペクトラムを変更する例は、屋外の使用において特定のチャンネルが他の機器に妨害を与える場合、妨害を与えるチャネルを使用する場合は送信電力を決められた値に下げるもので、帯域全体のスペクトラムは屋内スペクトラム４０７と屋外スペクトラム４０８のように異なる例である。電源供給が内部電源に変更されると、通信制御部２０５は送信部の送信電力を屋外スペクトラム４０８に変更を行なう。
【００１９】
以上のように、外部電源か内部電源かを検出して、それに応じて周波数、送信出力、送信帯域幅あるいは送信スペクトラム等を切替えることにより、屋内と屋外を移動しても他の機器に妨害を与えることなく使用できる。
【００２０】
次に、第２の実施例について説明する。本実施例においては、外部電源の接続を判定する接続検出２０７を設けており、本実施例の無線通信端末の構成を図５と図６に示す。
【００２１】
接続検出２０７は、例えばＡＣアダプターのケーブルあるいはコネクターが無線端末装置への接続有無の判定を行い、判定結果に対応して通信制御部で受信部２０２や送信部２０７やＰＨＹ／ＭＡＣ２０４の動作を制御するものである。
【００２２】
図５の例は、ＡＣアダプターのケーブルあるいはコネクターが無線端末装置へ接続されるのを検出装置２０７で検出し、通信制御部２０５によって受信部２０２や送信部２０７やＰＨＹ／ＭＡＣ２０４の屋内に許された周波数や送信出力で動作させる。
【００２３】
図６は、ＡＣアダプターのケーブルあるいはコネクターが無線端末装置へ接続されないことを検出装置２０７で検出し、通信制御部２０５によって受信部２０２や送信部２０７やＰＨＹ／ＭＡＣ２０４の動作を屋外に許された周波数や送信出力で動作させる。
【００２４】
これらにより、検出装置２０７で外部電源か内部電源かを簡単に検出することができ、屋内や屋外に許される周波数や送信出力に自動的に切替えることができる。
【００２５】
次に、第３の実施例について説明する。図７は、本発明を携帯型等のコンピュータに適用した実施例を示す図であり、本実施例では、図１に示した無線端末装置２００をＣＰＵとメモリと表示部とＩ／Ｏとハードディス（ＨＤＤ）からなるコンピュータ機能ブロック２１０を信号入出力３０１で接続しデータの入出力を行なうものである。
【００２６】
このように、本発明の無線端末装置２００を携帯コンピュータ２２０に内蔵することにより、商用電源からＡＣアダプターを介して電源を供給た屋内使用なのか、商用電源ではなく内蔵電源のバッテリーから電源を供給する屋外使用なのかを判別することにより、屋内や屋外に許される周波数や送信出力に自動的に切替えることができる。
【００２７】
次に、第４の実施例について説明する。図８は、本発明において屋外と屋内の切替えを告知する実施例を示す図であり、本実施例は、携帯コンピュータ４２０に本発明の無線携帯端末装置２００が装備され、表示装置４２２を備えるものである。
【００２８】
本実施例は、電源供給が切り換わった場合、携帯コンピュータ４２０の表示装置４２２に無線伝送方式の変更の注意を呼び起こすメッセージ４２３が表示される機能有するものである。
【００２９】
このように、電源供給が切り換わった場合にその旨を示すメッセージが表示されることにより、自動的に通信の設定が変わったことを知ることができる。また、手動による通信の設定切替えの場合は、使用者はメッセージを見て通信方式を切替えることが出来るため、使い勝手がよい。
【００３０】
次に、第５の実施例について説明する。図９は、本発明を携帯可能な映像表示機器に適用した別の実施例を示す図である。本実施例では、図１に示した無線端末装置２００と受信データから希望する番組を分離するデータ分離２２３と圧縮された映像をデコードするデコーダ２４４と映像を表示する映像表示２２２からなり、無線端末装置２００とデータ分離２２３は信号入出力３０１で接続するものである。
【００３１】
このように、本発明の無線端末装置２００を映像処理装置と組み合わせることにより、商用電源からＡＣアダプターを介して電源を供給する屋内使用なのか、商用電源ではなく内蔵電源のバッテリーから電源を供給する屋外使用なのかを通信動作制御部２０５が判別することにより、屋内や屋外に許される周波数や送信出力に自動的に切替えて映像の受信を行うことが出来る。
【００３２】
【発明の効果】
本発明によれば、ワイヤレス機能を内蔵した無線端末の使い勝手を向上させることができる。
【図面の簡単な説明】
【図１】本発明の無線端末装置における第１の実施例の構成を示す図である。
【図２】第１の実施例において内部電源を用いたときの例を示す図である。
【図３】第１の実施例の制御フローの例を示す図である。
【図４】第１の実施例の通信動作制御の例を示す図である。
【図５】本発明の無線端末装置における第２の実施の形態の構成を示す図である。
【図６】第２の実施例において内部電源を用いたときの例を示す図である
【図７】本発明の無線端末装置における第３の実施例の構成を示す図であり、内蔵したコンピュータの構成を示す図である。
【図８】本発明の無線端末装置における第４の実施例を示す図であり、本発明の無線端末装置に屋外と屋内の使用状態を告知する例を示す図である。
【図９】本発明の無線端末装置における第５の実施例の構成を示す図である。
【符号の説明】
２００…無線端末装置、１００，１０１…アンテナ、２０１…アンテナスイッチ、２０２…受信装置、２０３…送信装置、２０４…ＰＨＹ／ＭＡＣ、２０５…通信動作制御部、２０６…電源検出・電源制御、２０７…バッテリー、２０８…ＡＣアダプター、３００…外部電源接続端子、３０１…信号ライン、４００…屋内周波数、４０１…屋外周波数、４０３…屋内送信電力、４０４…屋外送信電力、４０５…屋内帯域幅、４０６…屋外帯域幅、４０７…屋内スペクトラム、４０８…屋外スペクトラム
【図１】
2005033238.tif 000003
【図２】
2005033238.tif 000004
【図３】
2005033238.tif 000005
【図４】
2005033238.tif 000006
【図５】
2005033238.tif 000007
【図６】
2005033238.tif 000008
【図７】
2005033238.tif 000009
【図８】
2005033238.tif 000010
【図９】
2005033238.tif 000011